(57)【要約】【課題】帯前結びを簡単、かつ迅速に行う。【解決手段】胴部２１に一周巻き付けられる部分を二重構造部分３とし、この二重構造部分３に巻き状態を保持する固定手段４を備え、さらに、二重構造部分３におけるたれ側端部３２には帯結びに用いる飾り部５を備える。【選択図】図１
2004115944.tif 000002
【特許請求の範囲】
【請求項１】
前結びに用いられる帯であって、
帯の手先側の端部からたれ側方向に向かって胴部を一周する長さに相当する部分を二重構造とし、
当該二重構造部分の手先側端部とたれ側端部とに亘って、二重構造部分のまき状態を保持する固定手段を備え、
さらに、二重構造部分におけるたれ側端部には帯結びに用いる飾り部を備えてなり、
前記飾り部は、帯長手方向と交差させてその下側端部を帯表と帯裏とで挟持固定していることを特徴とする帯。
【請求項２】
二重構造部分における帯裏は着物に対して滑りやすい布地を用いていることを特徴とする請求項１に記載の帯。
【請求項３】
二重構造部分には可撓性を有する芯板を内装していることを特徴とする請求項１、または、請求項２に記載の帯。
【発明の詳細な説明】
【０００１】
【発明の属する技術分野】
本考案は、着物用の帯に関し、詳しくは、帯前結びに好適な帯に関する。
【０００２】
【従来の技術】
帯前結びの方法として、例えば、胴部に帯を二巻きして前側で帯を結んで形を整えた後に帯を後ろに回す方法が有る。（非特許文献１参照。）
【０００３】
【非特許文献１】
成美堂出版発行、安西千恵子監修「初めての着付けと帯結び」、１９９２年２月２０日発行、ｐ．１４７〜ｐ．１４９およびｐ．１５２〜ｐ．１５４
【０００４】
【発明が解決しようとする課題】
しかしながら、例示したような従来の帯前結びは、後結びに比べれば簡単な結び方法であるものの、帯をしっかりと二重に巻き付けたり、その帯を緩まないように保持しながら結んだりすることが、着付けに慣れない着用者の場合、極めて難しく、かつ時間もかかる。
【０００５】
そこで、本発明は、帯前結びを簡単、かつ迅速に行うことを課題とし、この課題を解決する帯の提供を目的とする。
【０００６】
【課題を解決するための手段】
上記目的を達成するために本発明は下記の技術的手段を採用する。
その技術的手段は、図示するように、前結びに用いられる帯１であって、帯１の手先側１１の端部からたれ側１２方向に向かって胴部２１を一周する長さに相当する部分を二重構造とし、当該二重構造部分３の手先側端部３１とたれ側端部３２とに亘って、二重構造部分３の巻き状態を保持する固定手段４を備え、さらに、二重構造部分３におけるたれ側端部３２には帯結びに用いる飾り部５を備えてなり、前記飾り部５は、帯長手方向と交差させてその下側端部５１を帯表６と帯裏７とで挟持固定していることを特徴とする帯１にしたことである（請求項１）。
【０００７】
【発明の実施の形態】
本発明は主に半幅帯（細帯）を対象とするものであるが、これに限定するものではなく袋帯、丸帯等、各種帯を対象とする。
本発明における固定手段４は、面ファスナ、ホック等が使用できる。
本発明における帯１は、前結びした帯１を後ろに回すため、二重構造部分３における帯裏７に、着物２に対して滑りやすい布地８を用いることが好適である（請求項２）。
本発明における布地８は、前結びした帯１を後ろに回す際に、着物２の着崩れが生じないようにスムースに回すことが可能な滑り機能を有する布地の全てを用いることができる。（例えば、サテン）
【０００８】
また、通常では帯の型崩れを防止するために帯板が用いられるが、このような帯板を使用することについても、前記したように着付けに慣れない着用者には、邪魔なものである。
そこで、二重構造部分３に、可撓性を有する芯板９を内装することが好適である（請求項３）。
本発明における芯板９、帯１の型崩れを防止可能な支持強度を有しながら、帯を締める時において抵抗無く胴部２１に巻き付けられる程度の可撓性を有する周知の板状素材の全てを用いることができる。（例えば、ポリカーボネート）
【０００９】
請求項１の発明によれば、二重構造部分３を着用者の胴部２１に巻き付けることで二重巻きが構成される。
また、固定手段４によって二重構造部分３の巻き状態が保持される。
二重構造部分３を巻き付けた状態において、飾り部５の上側端部５２が着用者の肩方向に向くので、そのまま飾り部５を肩に掛けておき、二重構造部分３から連続するたれ側１２で帯の形を整えることができる。
また、飾り部５は、たれ側で整えられる帯結びの形を保持しながら装飾を形成する。
さらに、請求項２の発明によれば、帯を締める時において着物２に対して滑りやすい布地８が着物２の胴部２１に接しているので、帯１をスムースに回すことができ、これにより着物２の着崩れや傷付を防止することができる。
さらに、請求項３の発明によれば、二次構造部分３に内装された芯板９が帯表６を内側から支持するので、帯板を用いることなく帯１の型崩れやしわの発生が防止される。
この請求項３では、特に、型崩れしやすくしわが生じやすい柔らかい生地を用いた帯に対して極めて有効である。
【００１０】
【実施例】
以下、本発明の最適な実施例を図面に基づいて詳細に説明する。
図１および図２は本発明の帯１を示している。
なお、本実施例における帯は半幅帯（細帯）を例示している。
【００１１】
帯１は、その手先側１１の端部からたれ側１２方向に向かって着用者の胴部２１を一周する長さに相当する部分を二重構造としている。
当該二重構造部分３の手先側端部３１とたれ側端部３２とに亘って、二重構造部分３の巻き状態を保持する固定手段４を備えている。
さらに、二重構造部分３におけるたれ側端部３２には帯結びに用いる飾り部５を備えている。
前記飾り部５は、帯１の長手方向と直交させてその下側端部５１を二つ折りにして帯表６と帯裏７とで挟持固定して、上側端部５２を上方に向けている。
【００１２】
帯１における二重構造部分３は、手先側１１をたれ側１２に折り畳んで手先の先端のみを縫着して構成してある。
また、二重構造部分３における帯裏７には、着物２に対して滑りやすく、二重構造部分３に適合する大きさの布地８を縫着してある。
この布地８は、サテン地等を二重構造部分３に適合する大きさに裁断形成したものである。
【００１３】
さらに、二重構造部分３には、可撓性を有する芯板９を内装してある。
芯板９は、帯を締める時において、前中心を境に左右同長になる位置になるように、二重構造部分３の内側に挟持され当該部分の帯裏７の裏側に縫着されている。
符号９１は芯板９に開孔された小径孔であり、この小径孔９１によって通気性を確保している。
【００１４】
固定手段４は、二重構造部分３における手先側端部３１と、同じくのたれ側端部３２とに亘って夫々２個備えられている。
本実施例の固定手段４は面ファスナーであり、この面ファスナーの雄側部４１，４１’と雌側部４２，４２’を、手先側端部３１とたれ側端部３２に振り分けて縫着してある。
また、雄側部４１，４１’と雌側部４２，４２’の縫着位置は、帯を締める時において帯１の後中心の両側で固着される位置である。
【００１５】
本実施例では、たれ側端部３２に固定手段４における面ファスナーの雄側部４１，４１’を縫着し、手先側端部３１に固定手段４における面ファスナーの雌側部４２，４２’を縫着した例で示す。
そして、例示した固定手段４では、雄側部４１，４１’の双方を帯表６に縫着し、たれ側の雌側部４２を帯表６に、手先側の雌側部４２’を帯裏７に縫着している。
このため、帯１を胴部２１に巻き付けて固定する場合には、たれ側端部３２を捻って帯表６の雌側部４２を雄側部４１に対面させ、帯裏７の雌側部４２’をそのまま雄側部４１’に対面させて固定する。
【００１６】
なお、面ファスナの雄側部４１，４１’および雌側部４２，４２’の縫着位置については、例示した雄雌逆態様でも良い。（図示せず）
また、前記手先側端部３１の雄側部４１，４１’を帯表６に縫着した場合に、前記たれ側端部３２の雌側部４２，４２’を帯裏７に縫着して、たれ側端部３２を捻らずに雌側部４２，４２’を雄側部４１，４１’に固定するようにしても良い。（図示せず）
【００１７】
次に、このように構成した帯１の帯の締め方を説明する。
先ず、帯１の二重構造部分３における布地８を胴部２１に向け、二重構造部分の略中心部を着用者の腰に沿わせる（図３参照）。
そして、この状態を保持したまま、手先側１１とたれ側１２を左右から前方に一周巻付けて、たれ側端部３２を捻って雌側部４２，４２’を雄側部に４１，４１’に固定することによって、従来の二重巻きと同様の帯１の巻き付け状態が保持される（図４参照）。
巻き付け状態を保持しているときには、次の行程である帯結びのために飾り部５を着用者の肩方向へ上げておく。
この図３および図４における帯１の巻き付け動作をする場合に、二重構造部分３を除くたれ側１２であらかじめ帯形をある程度作っておいてテープや紐によってその形を保持しておく。
巻き付け状態を保持したならば、たれ側１２と飾り部５によって帯結びをして形を整えた後に、これを後ろに回すことで芯板９が前側に位置して完成する（図５参照）。
【００１８】
なお、本実施例の帯においては、飾り部の縫着を解いて取り外すことで、通常通りの一本の帯として使用することができる。
また、本発明では前記した実施例に限定されるものではなく、実用新案登録請求の範囲に記載の各請求項の内容から逸脱しない範囲において変更が可能である。
【００１９】
【発明の効果】
本発明は以上説明したとおり下記の優れた効果を有する。
請求項１の発明により、二重構造部分の存在で、帯の一周巻き付けで二重巻き付け状態とし、固定手段の存在でその巻き付け状態を保持することができるので、帯前結びを簡単、かつ迅速に行うことを達成することができる。
請求項２の発明により、着物に対して滑りやすい布地の存在で、帯をスムースに回すことができるので着物の着崩れおよび傷付を防止することができる。
請求項３の発明により、帯を支持する芯板の存在で、帯の型崩れおよびしわの発生を抑制することができる。
【図面の簡単な説明】
【図１】本発明に係る帯を示す。
【図２】図１の（２）−（２）線断面図。
【図３】帯の締め方の行程図。
【図４】帯の締め方の行程図。
【図５】帯を締めた完成図。
【符号の説明】
１：帯
１１：手先側
１２：たれ側
２：着物
２１：胴部
３：二重構造部分
３１：手先側端部
３２：たれ側端部
４：固定手段
５：飾り部
５１：下側端部
６：帯表
７：帯裏
８：布地
９：芯板
【図１】
2004115944.tif 000003
【図２】
2004115944.tif 000004
【図３】
2004115944.tif 000005
【図４】
2004115944.tif 000006
【図５】
2004115944.tif 000007